【手続補正書】
【提出日】令和3年4月9日(2021.4.9)
【手続補正１】
【補正対象書類名】特許請求の範囲
【補正対象項目名】全文
【補正方法】変更
【補正の内容】
【特許請求の範囲】
【請求項１】
複数の端末においてユーザを認証する方法であって、前記複数の端末に接続されたコンピュータによって、
ａ）前記ユーザからのバイオメトリック入力を含み、対象端末上で認証を開始するユーザ入力を受け付けるステップと、
ｂ）前記対象端末に対して前記コンピュータが最後に認証したのと同じユーザが前記対象端末上で認証を開始しているものと、前記ユーザから受け付けられた前記バイオメトリック入力が示すかを判定するステップと、
ｃ）前記ユーザが、前記対象端末に対して前記コンピュータが最後に認証したのと同じユーザである場合、前記コンピュータが、前記ユーザの１：１型認証を実行するステップと、
ｄ）前記ユーザが、前記対象端末に対して前記コンピュータが最後に認証したのと同じユーザでない場合、前記コンピュータが、
ｉ）現在の時間スロットにおいて、前記対象端末の認証優先度テーブルからエントリを読み出すことと、
ｉｉ）認証結果テーブルに基づいて、前記対象端末以外の端末上での認証ステータスを読み込むことと、
ｉｉｉ）各端末のユーザの優先度情報、時間、端末情報、および前記認証結果テーブルに基づく端末でのユーザのマスキングを含む仮認証優先度テーブルを生成することであり、前記マスキングが、端末においてログ・イン済みであり、前記対象端末で前記認証を現在開始しているユーザではない各ユーザのものである、生成することと、
ｉｖ）前記仮認証優先度テーブルを用いて、前記ユーザの１：Ｎ型認証を実行することと、
ｖ）前記１：Ｎ型認証が受け入れられたかを判定することと、
ｖｉ）前記１：Ｎ型認証が受け入れられた場合、前記コンピュータが、前記ユーザの前記対象端末へのアクセスを許可するとともに、前記認証結果を前記認証結果テーブルに格納することと、
を行うステップと、
を含む、方法。
【請求項２】
前記認証優先度テーブルの認証優先度が、
前記コンピュータが、前記認証結果テーブルに基づいて時間スロット当たり端末使用率を計算し、端末使用率テーブルとして格納するステップと、
前記コンピュータが、端末関係を計算し、端末関係テーブルとして格納するステップと、
前記コンピュータが、前記端末関係テーブル、前記端末使用率テーブル、および前記認証結果に基づいて前記認証優先度を計算し、前記認証優先度を前記認証優先度テーブルに格納するステップと、
によって判定される、請求項１に記載の方法。
【請求項３】
前記時間スロット当たり端末使用率が、前記端末の時間スロット内にユーザが前記端末にログ・インした回数および時間スロット中の前記端末の使用割合の関連性指数に基づく、請求項２に記載の方法。
【請求項４】
前記認証優先度が、ユーザが所与の時間スロットに対して前記対象端末を使用している尤度である、請求項２または３に記載の方法。
【請求項５】
前記１：Ｎ認証が拒絶された場合、現在の時間スロットにおいて、前記対象端末の認証優先度テーブルからエントリを読み出す前記ステップｄ）ｉ）に戻る、請求項１ないし４のいずれかに記載の方法。
【請求項６】
前記認証優先度のリストが、端末に対するユーザの過去の認証ステータスに基づく、請求項１ないし５のいずれかに記載の方法。
【請求項７】
前記仮認証優先度テーブルが、メモリに格納され、前記認証優先度テーブルが、リポジトリに格納される、請求項１ないし６のいずれかに記載の方法。
【請求項８】
複数の端末においてユーザを認証するコンピュータ・システムであって、少なくとも１つのプロセッサと、１つまたは複数のメモリと、プログラム命令を有する１つまたは複数のコンピュータ可読記憶媒体とを備えたコンピュータを備え、前記プログラム命令が、
ａ）前記コンピュータにより、前記ユーザからのバイオメトリック入力を含み、対象端末上で認証を開始するユーザ入力を受け付けるステップと、
ｂ）前記コンピュータにより、前記対象端末に対して前記コンピュータが最後に認証したのと同じユーザが前記対象端末上で認証を開始しているものと、前記ユーザから受け付けられた前記バイオメトリック入力が示すかを判定するステップと、
ｃ）前記ユーザが、前記対象端末に対して前記コンピュータが最後に認証したのと同じユーザである場合、前記コンピュータにより、前記ユーザの１：１型認証を実行するステップと、
ｄ）前記ユーザが、前記対象端末に対して前記コンピュータが最後に認証したのと同じユーザでない場合、前記コンピュータが、
ｉ）現在の時間スロットにおいて、前記対象端末の認証優先度テーブルからエントリを読み出すことと、
ｉｉ）認証結果テーブルに基づいて、前記対象端末以外の端末上での認証ステータスを読み込むことと、
ｉｉｉ）各端末のユーザの優先度情報、時間、端末情報、および前記認証結果テーブルに基づく端末でのユーザのマスキングを含む仮認証優先度テーブルを生成することであり、前記マスキングが、端末においてログ・イン済みであり、前記対象端末で前記認証を現在開始しているユーザではない各ユーザのものである、生成することと、
ｉｖ）前記仮認証優先度テーブルを用いて、前記ユーザの１：Ｎ型認証を実行することと、
ｖ）前記１：Ｎ型認証が受け入れられたかを判定することと、
ｖｉ）前記１：Ｎ型認証が受け入れられた場合、前記コンピュータが、前記ユーザの前記対象端末へのアクセスを許可するとともに、前記認証結果を前記認証結果テーブルに格納することと、
を行うステップと、
を行うように前記コンピュータにより実行可能である、コンピュータ・システム。
【請求項９】
前記認証優先度テーブルの認証優先度が、
前記コンピュータにより、前記認証結果テーブルに基づいて時間スロット当たり端末使用率を計算し、端末使用率テーブルとして格納するステップと、
前記コンピュータにより、端末関係を計算し、端末関係テーブルとして格納するステップと、
前記コンピュータにより、前記端末関係テーブル、前記端末使用率テーブル、および前記認証結果に基づいて前記認証優先度を計算し、前記認証優先度を前記認証優先度テーブルに格納するステップと、
を含む前記プログラム命令によって判定される、請求項８に記載のコンピュータ・システム。
【請求項１０】
前記時間スロット当たり端末使用率が、前記端末の時間スロット内にユーザが前記端末にログ・インした回数および時間スロット中の前記端末の使用割合の関連性指数に基づく、請求項９に記載のコンピュータ・システム。
【請求項１１】
前記認証優先度が、ユーザが所与の時間スロットに対して前記対象端末を使用している尤度である、請求項９または１０に記載のコンピュータ・システム
【請求項１２】
前記１：Ｎ認証が拒絶された場合、現在の時間スロットにおいて、前記対象端末の認証優先度テーブルからエントリを読み出す前記ｄ）ｉ）に戻る、請求項８ないし１１のいずれかに記載のコンピュータ・システム。
【請求項１３】
前記認証優先度のリストが、端末に対するユーザの過去の認証ステータスに基づく、請求項８ないし１２のいずれかに記載のコンピュータ・システム。
【請求項１４】
前記仮認証テーブルが、メモリに格納され、前記認証優先度テーブルが、リポジトリに格納される、請求項８ないし１３のいずれかに記載のコンピュータ・システム。
【請求項１５】
コンピュータに接続された複数の端末においてユーザを認証するコンピュータ・プログラムであって、前記コンピュータに、請求項１ないし７のいずれかに記載の方法を実行させるためのコンピュータ・プログラム。